(57)【要約】      （修正有）【課題】非磁性体の被取付物にも、損傷を与えることなく取付けることができる簡易筆記板を提供する。【解決手段】上端縁１を後方に折曲げて被引掛物Ａに引掛ける掛止片部２を有する１枚の金属折曲板３から成るボード基板４を備える。ボード基板４にホワイトボード６が接着されている。被引掛物Ａから外れるのを防止するためのアングル片５を備える。ボード基板４の後面とアングル片５の垂下片部12との間隔寸法を、被引掛物Ａの厚み寸法に対応して、増減自在として、アングル片５が掛止片部２に粘着部材13を介して貼着されている。【選択図】図１
0003110640.tif 000002
【実用新案登録請求の範囲】
【請求項１】
上端縁（１）を後方に折曲げて被引掛物（Ａ）に引掛ける掛止片部（２）を有する１枚の金属折曲板（３）から成るボード基板（４）を備え、該ボード基板（４）にホワイトボード（６）を接着したことを特徴とする簡易筆記板。
【請求項２】
上端縁（１）を後方に折曲げて被引掛物（Ａ）に引掛ける掛止片部（２）を有する１枚の金属折曲板（３）から成るボード基板（４）を備え、該ボード基板（４）にホワイトボード（６）を接着した簡易筆記板であって、
被引掛物（Ａ）から外れるのを防止するためのアングル片（５）を備え、
上記ボード基板（４）の後面（11）と上記アングル片（５）の垂下片部（12）との間隔寸法（Ｌ）を、上記被引掛物（Ａ）の厚み寸法（Ｗ）に対応して、増減自在として、上記アングル片（５）を上記掛止片部（２）に粘着部材（13）を介して貼着したことを特徴とする簡易筆記板。
【請求項３】
上端縁（１）を後方に折曲げて被引掛物（Ａ）に引掛ける掛止片部（２）を有する１枚の金属折曲板（３）から成るボード基板（４）を備え、該ボード基板（４）にホワイトボード（６）を接着した簡易筆記板であって、
上記ボード基板（４）の下端縁（７）に、前方上傾状にイレイザー受け片部（８）を折曲げ形成すると共に、該イレイザー受け片部（８）と上記ボード基板（４）の垂直壁部（15）との間に、Ｖ字状溝（９）を形成し、
かつ、被引掛物（Ａ）から外れるのを防止するためのアングル片（５）を備え、
上記ボード基板（４）の後面（11）と上記アングル片（５）の垂下片部（12）との間隔寸法（Ｌ）を、上記被引掛物（Ａ）の厚み寸法（Ｗ）に対応して、増減自在として、上記アングル片（５）を上記掛止片部（２）に粘着部材（13）を介して貼着したことを特徴とする簡易筆記板。
【請求項４】
上端縁（１）を後方に折曲げて被引掛物（Ａ）に引掛ける掛止片部（２）を有する１枚の金属折曲板（３）から成るボード基板（４）を備え、該ボード基板（４）にホワイトボード（６）を接着した簡易筆記板であって、
上記ボード基板（４）の下端縁（７）に、前方上傾状にイレイザー受け片部（８）を折曲げ形成すると共に、該イレイザー受け片部（８）と上記ボード基板（４）の垂直壁部（15）との間に、Ｖ字状溝（９）を形成し、
かつ、被引掛物（Ａ）から外れるのを防止するためのアングル片（５）を備え、
上記ボード基板（４）の後面（11）と上記アングル片（５）の垂下片部（12）との間隔寸法（Ｌ）を、上記被引掛物（Ａ）の厚み寸法（Ｗ）に対応して、増減自在として、上記アングル片（５）を上記掛止片部（２）に粘着部材（13）を介して貼着し、
さらに、上記Ｖ字状溝（９）内にマーカー（Ｍ）を横倒状に設置した状態で該マーカー（Ｍ）の下方にカス溜り用空隙（Ｋ）が上記Ｖ字状溝（９）の下端縁部（10）に形成されるように構成したことを特徴とする簡易筆記板。
【考案の詳細な説明】
【技術分野】
【０００１】
本考案は、簡易筆記板に関する。
【背景技術】
【０００２】
従来の簡易筆記板には、磁性体に取付けるためにシート状の磁石を積層させたものがある。
【０００３】
しかし、非磁性体に取り付けることができなかった。また、コスト高になるという欠点があった。
【考案の開示】
【考案が解決しようとする課題】
【０００４】
解決しようとする課題は、非磁性体に取付けることができない点である。
【課題を解決するための手段】
【０００５】
そこで、本考案に係る簡易筆記板は、上端縁を後方に折曲げて被引掛物に引掛ける掛止片部を有する１枚の金属折曲板から成るボード基板を備え、該ボード基板にホワイトボードを接着したものである。
【０００６】
また、上端縁を後方に折曲げて被引掛物に引掛ける掛止片部を有する１枚の金属折曲板から成るボード基板を備え、該ボード基板にホワイトボードを接着した簡易筆記板であって、被引掛物から外れるのを防止するためのアングル片を備え、上記ボード基板の後面と上記アングル片の垂下片部との間隔寸法を、上記被引掛物の厚み寸法に対応して、増減自在として、上記アングル片を上記掛止片部に粘着部材を介して貼着したものである。
【０００７】
また、上端縁を後方に折曲げて被引掛物に引掛ける掛止片部を有する１枚の金属折曲板から成るボード基板を備え、該ボード基板にホワイトボードを接着した簡易筆記板であって、上記ボード基板の下端縁に、前方上傾状にイレイザー受け片部を折曲げ形成すると共に、該イレイザー受け片部と上記ボード基板の垂直壁部との間に、Ｖ字状溝を形成し、かつ、被引掛物から外れるのを防止するためのアングル片を備え、上記ボード基板の後面と上記アングル片の垂下片部との間隔寸法を、上記被引掛物の厚み寸法に対応して、増減自在として、上記アングル片を上記掛止片部に粘着部材を介して貼着したものである。
【０００８】
また、上端縁を後方に折曲げて被引掛物に引掛ける掛止片部を有する１枚の金属折曲板から成るボード基板を備え、該ボード基板にホワイトボードを接着した簡易筆記板であって、上記ボード基板の下端縁に、前方上傾状にイレイザー受け片部を折曲げ形成すると共に、該イレイザー受け片部と上記ボード基板の垂直壁部との間に、Ｖ字状溝を形成し、かつ、被引掛物から外れるのを防止するためのアングル片を備え、上記ボード基板の後面と上記アングル片の垂下片部との間隔寸法を、上記被引掛物の厚み寸法に対応して、増減自在として、上記アングル片を上記掛止片部に粘着部材を介して貼着し、さらに、上記Ｖ字状溝内にマーカーを横倒状に設置した状態で該マーカーの下方にカス溜り用空隙が上記Ｖ字状溝の下端縁部に形成されるように構成したものである。
【考案の効果】
【０００９】
本考案の簡易筆記板によれば、容易かつ確実に被取付物に取付けることができる。また、非磁性体の被取付物にも、損傷を与えることなく取付けることができる。また、簡単な構造であって、容易に製造することができる。また、低コストで製造することができる。さらに、確実に引掛けることができ、離脱を防止することができる。また、被引掛物Ａの厚み寸法Ｗに対応して、取付けることができる。また、マーカーの消しカスが、マーカーに付着するのを防止することができる。
【考案を実施するための最良の形態】
【００１０】
図１は、本考案の第１の実施の形態の使用状態を示す。この簡易筆記板は、被引掛物Ａ───図１では、間仕切りから成る───に引掛けて使用される。マーカーＭと字消し具Ｒ（イレイザー、ラーフル）が載置されている。
【００１１】
簡易筆記板は、上端縁１を後方に折曲げて被引掛物Ａに引掛ける掛止片部２を有する１枚の金属折曲板３から成るボード基板４と、被引掛物Ａから外れるのを防止するためのアングル片５を備える。アングル片５の長さ寸法は、ボード基板４と同一幅としても自由である（図示省略）が、アングル片５の長さ寸法を小さく設定して、２個以上を配設するも好ましい（図１では３個を示す）。ボード基板４にホワイトボード６が接着されている。ホワイトボード６は、例えば、鋼板14に従来公知の塗装を行なって、マーカーＭにて記載できる表面を形成する。
【００１２】
ボード基板４の下端縁７に、前方上傾状にイレイザー受け片部８を折曲げ形成すると共に、イレイザー受け片部８とボード基板４の垂直壁部15との間に、Ｖ字状溝９が形成されている。すなわち、図２に示すように、Ｖ字状溝９内にマーカーＭを横倒状に設置した状態でマーカーＭの下方にカス溜り用空隙ＫがＶ字状溝９の下端縁部10に形成されるように構成されている。言い換えると、マーカーＭでホワイトボードに描いたものを消すと、消しカスＥが生じるが、この消しカスＥがカス溜り用空隙Ｋに溜まるように、構成されている。
【００１３】
図３に示すように、ボード基板４の後面11とアングル片５の垂下片部12との間隔寸法Ｌは、被引掛物Ａの厚み寸法Ｗに対応して、増減自在として、アングル片５が掛止片部２に粘着部材13を介して貼着されている。図３（ａ）は、被引掛物Ａの厚み寸法Ｗが小さい場合を示す。図３（ｂ）は、被引掛物Ａの厚み寸法Ｗが大きい場合を示す。このように間隔寸法Ｌを増減させて、厚み寸法Ｗが、例えば、30mm≦Ｗ≦50mmの種々の寸法の被引掛物Ａに本考案の簡易筆記具を引掛けることができる。
【００１４】
図４は、第２の実施の形態の使用状態を示す。この簡易筆記板は、アングル片５を具備しない。そして、ボード基板４の掛止片部２が、被引掛物Ａの上面Ａ1 に粘着部材13を介して貼着されている。粘着部材13としては、クッション付両面テープが好ましい（被引掛物Ａが損傷するのを確実に防止することができる）。
【００１５】
なお、本考案は、間仕切り以外の被引掛物Ａ（例えば、書庫、キャビネット等）に引掛けて使用することもできる。すなわち、書庫の裏上面・横上面、又は、キャビネットの裏上面・横上面等に引掛けることもできる。また、アングル片５を、掛止片部２の上面側に（粘着部材13にて）貼着するも良い。
本考案は、設計変更可能であって、例えば、第２の実施の形態に於て、粘着部材13を省略するも良い。
【００１６】
以上のように、本考案は、上端縁１を後方に折曲げて被引掛物Ａに引掛ける掛止片部２を有する１枚の金属折曲板３から成るボード基板４を備え、ボード基板４にホワイトボード６を接着したので、容易かつ確実に被取付物に取付けることができる。また、非磁性体の被取付物Ａにも、損傷を与えることなく取付けることができる。また、簡単な構造であって、容易に製造することができる。また、低コストで製造することができる。
【００１７】
また、上端縁１を後方に折曲げて被引掛物Ａに引掛ける掛止片部２を有する１枚の金属折曲板３から成るボード基板４を備え、ボード基板４にホワイトボード６を接着した簡易筆記板であって、被引掛物Ａから外れるのを防止するためのアングル片５を備え、ボード基板４の後面11とアングル片５の垂下片部12との間隔寸法Ｌを、被引掛物Ａの厚み寸法Ｗに対応して、増減自在として、アングル片５を掛止片部２に粘着部材13を介して貼着したので、容易かつ確実に被取付物に取付けることができる。また、非磁性体の被引掛物Ａにも、損傷を与えることなく取付けることができる。また、簡単な構造であって、容易に製造することができる。また、低コストで製造することができる。さらに、確実に引掛けることができ、離脱を防止することができる。また、被引掛物Ａの厚み寸法Ｗに対応して、取付けることができる。
【００１８】
また、上端縁１を後方に折曲げて被引掛物Ａに引掛ける掛止片部２を有する１枚の金属折曲板３から成るボード基板４を備え、ボード基板４にホワイトボード６を接着した簡易筆記板であって、ボード基板４の下端縁７に、前方上傾状にイレイザー受け片部８を折曲げ形成すると共に、イレイザー受け片部８とボード基板４の垂直壁部15との間に、Ｖ字状溝９を形成し、かつ、被引掛物Ａから外れるのを防止するためのアングル片５を備え、ボード基板４の後面11とアングル片５の垂下片部12との間隔寸法Ｌを、被引掛物Ａの厚み寸法Ｗに対応して、増減自在として、アングル片５を掛止片部２に粘着部材13を介して貼着したので、容易かつ確実に被取付物に取付けることができる。また、非磁性体の被引掛物Ａにも、損傷を与えることなく取付けることができる。また、簡単な構造であって、容易に製造することができる。また、低コストで製造することができる。さらに、確実に引掛けることができ、離脱を防止することができる。また、被引掛物Ａの厚み寸法Ｗに対応して、取付けることができる。また、マーカーＭの消しカスＥが、マーカーＭに付着するのを防止することができる。
【００１９】
また、上端縁１を後方に折曲げて被引掛物Ａに引掛ける掛止片部２を有する１枚の金属折曲板３から成るボード基板４を備え、ボード基板４にホワイトボード６を接着した簡易筆記板であって、ボード基板４の下端縁７に、前方上傾状にイレイザー受け片部８を折曲げ形成すると共に、イレイザー受け片部８とボード基板４の垂直壁部15との間に、Ｖ字状溝９を形成し、かつ、被引掛物Ａから外れるのを防止するためのアングル片５を備え、ボード基板４の後面11とアングル片５の垂下片部12との間隔寸法Ｌを、被引掛物Ａの厚み寸法Ｗに対応して、増減自在として、アングル片５を掛止片部２に粘着部材13を介して貼着し、さらに、Ｖ字状溝９内にマーカーＭを横倒状に設置した状態でマーカーＭの下方にカス溜り用空隙ＫがＶ字状溝９の下端縁部10に形成されるように構成したので、容易かつ確実に被取付物に取付けることができる。また、非磁性体の被引掛物Ａにも、損傷を与えることなく取付けることができる。また、簡単な構造であって、容易に製造することができる。また、低コストで製造することができる。さらに、確実に引掛けることができ、離脱を防止することができる。また、被引掛物Ａの厚み寸法Ｗに対応して、取付けることができる。また、マーカーＭの消しカスＥが、マーカーＭに付着するのを防止することができる。
【図面の簡単な説明】
【００２０】
【図１】第１の実施の形態の使用状態を示す斜視図である。
【図２】要部拡大断面側面図である。
【図３】断面側面図である。
【図４】第２の実施の形態の使用状態を示す斜視図である。
【符号の説明】
【００２１】
１  上端縁
２  掛止片部
３  金属折曲板
４  ボード基板
５  アングル片
６  ホワイトボード
７  下端縁
８  イレイザー受け片部
９  Ｖ字状溝
10  下端縁部
11  後面
12  垂下片部
13  粘着部材
15  垂直壁部
Ａ  被引掛物
Ｋ  カス溜り用空隙
Ｌ  間隔寸法
Ｍ  マーカー
Ｗ  厚み寸法
【図１】
0003110640.tif 000003
【図２】
0003110640.tif 000004
【図３】
0003110640.tif 000005
【図４】
0003110640.tif 000006